【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
被写体を撮像領域で撮像する撮像素子と、
前記撮像素子の撮像領域中に、主撮像画像に係る主撮像データを保持する主撮像領域と、前記主撮像領域と異なる領域であって画像ぶれに関するぶれ検出データを保持するぶれ検出領域と、を設定する領域設定手段と、
前記領域設定手段で設定した前記主撮像領域から前記主撮像データを第１フレームレートで読み出す第一読出制御手段と、
前記領域設定手段で設定した前記ぶれ検出領域から前記ぶれ検出データを前記第１フレームレートより速い第２フレームレートで読み出す第二読出制御手段と、
前記第二読出制御手段により前記ぶれ検出領域から読み出された前記ぶれ検出データに基づき、画像ぶれ量を検出するぶれ量検出手段と、
を備えることを特徴とする撮像装置。
【請求項２】
前記ぶれ量検出手段により検出された前記画像ぶれ量に応じた補正処理を行うぶれ補正手段と、
前記ぶれ補正手段により画像ぶれが補正された前記主撮像データに基づく画像情報を前記第一読出制御手段により読み出して取得する画像情報取得手段と、
を更に備えることを特徴とする請求項１記載の撮像装置。
【請求項３】
前記ぶれ量検出手段により検出された前記画像ぶれ量に応じた補正処理を行うぶれ補正手段と、
前記第一読出制御手段により読み出した前記主撮像データに基づく画像情報を取得して、前記ぶれ補正手段により画像ぶれを補正した画像情報を取得する画像情報取得手段と、
を更に備えることを特徴とする請求項１記載の撮像装置。
【請求項４】
前記領域設定手段により設定された前記ぶれ検出領域を変更する領域変更手段を更に備えることを特徴とする請求項１に記載の撮像装置。
【請求項５】
前記領域変更手段は、前記ぶれ量検出手段により検出された画像ぶれ量に応じて、前記ぶれ検出領域の大きさを変更することを特徴とする請求項４に記載の撮像装置。
【請求項６】
被写体を撮像領域で撮像する撮像素子を備えるコンピュータを、
前記撮像素子の撮像領域中に、主撮像画像に係る主撮像データを保持する主撮像領域と、前記主撮像領域と異なる領域であって画像ぶれに関するぶれ検出データを保持するぶれ検出領域と、を設定する領域設定手段、
前記領域設定手段で設定した前記主撮像領域から前記主撮像データを第１フレームレートで読み出す第一読出制御手段、
前記領域設定手段で設定した前記ぶれ検出領域から前記ぶれ検出データを前記第１フレームレートより速い第２フレームレートで読み出す第二読出制御手段、
前記第二読出制御手段により前記ぶれ検出領域から読み出された前記ぶれ検出データに基づき、画像ぶれ量を検出するぶれ量検出手段、
として機能させることを特徴とするプログラム。
【請求項７】
被写体を撮像する撮像素子と、
前記撮像素子に、撮像画像に係る撮像データを取得する撮像領域と、画像ぶれに関するぶれ検出データを取得するぶれ検出領域と、を設定する領域設定手段と、
前記領域設定手段で設定した前記撮像領域から前記撮像データを読み出す第一読出制御手段と、
前記領域設定手段で設定した前記ぶれ検出領域から前記ぶれ検出データを読み出す第二読出制御手段と、
前記第二読出制御手段により前記ぶれ検出領域から読み出された前記ぶれ検出データに基づき、画像ぶれ量を検出するぶれ量検出手段と、
前記領域設定手段により設定された前記ぶれ検出領域を変更する領域変更手段と、
を備えることを特徴とする撮像装置。
【請求項８】
前記ぶれ量検出手段により検出された前記画像ぶれ量に応じた補正処理を行うぶれ補正手段と、
前記ぶれ補正手段により画像ぶれが補正された前記撮像データに基づく画像情報を前記第一読出制御手段により読み出して取得する画像情報取得手段と、
を更に備えることを特徴とする請求項７記載の撮像装置。
【請求項９】
前記ぶれ量検出手段により検出された前記画像ぶれ量に応じた補正処理を行うぶれ補正手段と、
前記第一読出制御手段により読み出した前記撮像データに基づく画像情報を取得して、前記ぶれ補正手段により画像ぶれを補正した画像情報を取得する画像情報取得手段と、
を更に備えることを特徴とする請求項７記載の撮像装置。
【請求項１０】
前記領域変更手段は、前記ぶれ量検出手段により検出された画像ぶれ量に応じて、前記ぶれ検出領域の大きさと形状の少なくとも一方を変更することを特徴とする請求項７に記載の撮像装置。
【請求項１１】
前記領域変更手段は、前記ぶれ量検出手段により検出された画像ぶれ量が所定の基準値より大きい場合に、前記ぶれ検出領域を大きくする大ぶれ検出領域拡大手段を更に備えることを特徴とする請求項１０に記載の撮像装置。
【請求項１２】
前記領域変更手段は、前記ぶれ量検出手段により検出された画像ぶれ量が所定の基準値より小さい場合に、前記ぶれ検出領域を大きくする小ぶれ検出領域拡大手段を更に備えることを特徴とする請求項１０に記載の撮像装置。
【請求項１３】
被写体を撮像する撮像素子を備えるコンピュータを、
前記撮像素子に、撮像画像に係る撮像データを取得する撮像領域と、画像ぶれに関するぶれ検出データを取得するぶれ検出領域と、を設定する領域設定手段、
前記領域設定手段で設定した前記撮像領域から前記撮像データを読み出す第一読出制御手段、
前記領域設定手段で設定した前記ぶれ検出領域から前記ぶれ検出データを読み出す第二読出制御手段、
前記第二読出制御手段により前記ぶれ検出領域から読み出された前記ぶれ検出データに基づき、画像ぶれ量を検出するぶれ量検出手段、
前記領域設定手段により設定された前記ぶれ検出領域を変更する領域変更手段、
として機能させることを特徴とするプログラム。
【請求項１４】
被写体を撮像領域で撮像する撮像素子と、
前記撮像素子に、主撮像画像に係る主撮像データを保持する主撮像領域と、前記主撮像領域と異なる領域であって画像ぶれに関するぶれ検出データを保持するぶれ検出領域と、を設定する領域設定手段と、
前記領域設定手段で設定した前記主撮像領域から前記主撮像データを所定の露光時間で露光して読み出す第一露光制御手段と、
前記領域設定手段で設定した前記ぶれ検出領域から前記ぶれ検出データを前記所定の露光時間中に、１回の露光時間が前記露光時間よりも短時間で且つ１回より多く読み出す第二露光制御手段と、
前記第二露光制御手段により前記ぶれ検出領域から読み出された前記ぶれ検出データに基づき、画像ぶれ量を検出するぶれ量検出手段と、
を備えることを特徴とする撮像装置。
【請求項１５】
被写体を撮像領域で撮像する撮像素子を備えるコンピュータを、
前記撮像素子の撮像領域中に、主撮像画像に係る主撮像データを保持する主撮像領域と、前記主撮像領域と異なる領域であって画像ぶれに関するぶれ検出データを保持するぶれ検出領域と、を設定する領域設定手段、
前記領域設定手段で設定した前記主撮像領域から前記主撮像データを所定の露光時間で露光して読み出す第一露光制御手段、
前記領域設定手段で設定した前記ぶれ検出領域から前記ぶれ検出データを前記所定の露光時間中に、１回の露光時間が前記露光時間よりも短時間で且つ１回より多く読み出す第二露光制御手段、
前記第二露光制御手段により前記ぶれ検出領域から読み出された前記ぶれ検出データに基づき、画像ぶれ量を検出するぶれ量検出手段、
として機能させることを特徴とするプログラム。
【手続補正２】
【補正対象書類名】明細書
【補正対象項目名】０００５
【補正方法】変更
【補正の内容】
【０００５】
請求項１に記載の発明の撮像装置は、
被写体を撮像領域で撮像する撮像素子と、
前記撮像素子の撮像領域中に、主撮像画像に係る主撮像データを保持する主撮像領域と、前記主撮像領域と異なる領域であって画像ぶれに関するぶれ検出データを保持するぶれ検出領域と、を設定する領域設定手段と、
前記領域設定手段で設定した前記主撮像領域から前記主撮像データを第１フレームレートで読み出す第一読出制御手段と、
前記領域設定手段で設定した前記ぶれ検出領域から前記ぶれ検出データを前記第１フレームレートより速い第２フレームレートで読み出す第二読出制御手段と、
前記第二読出制御手段により前記ぶれ検出領域から読み出された前記ぶれ検出データに基づき、画像ぶれ量を検出するぶれ量検出手段と、
を備えることを特徴とする。
【手続補正３】
【補正対象書類名】明細書
【補正対象項目名】０００６
【補正方法】変更
【補正の内容】
【０００６】
請求項２に記載の発明は、請求項１記載の撮像装置において、
前記ぶれ量検出手段により検出された前記画像ぶれ量に応じた補正処理を行うぶれ補正手段と、
前記ぶれ補正手段により画像ぶれが補正された前記主撮像データに基づく画像情報を前記第一読出制御手段により読み出して取得する画像情報取得手段と、
を更に備えることを特徴とする。
【手続補正４】
【補正対象書類名】明細書
【補正対象項目名】０００７
【補正方法】変更
【補正の内容】
【０００７】
請求項３に記載の発明は、請求項１記載の撮像装置において、
前記ぶれ量検出手段により検出された前記画像ぶれ量に応じた補正処理を行うぶれ補正手段と、
前記第一読出制御手段により読み出した前記主撮像データに基づく画像情報を取得して、前記ぶれ補正手段により画像ぶれを補正した画像情報を取得する画像情報取得手段と、
を更に備えることを特徴とする。
【手続補正５】
【補正対象書類名】明細書
【補正対象項目名】０００８
【補正方法】変更
【補正の内容】
【０００８】
請求項４に記載の発明は、請求項１に記載の撮像装置において、
前記領域設定手段により設定された前記ぶれ検出領域を変更する領域変更手段を更に備えることを特徴とする。
【手続補正６】
【補正対象書類名】明細書
【補正対象項目名】０００９
【補正方法】変更
【補正の内容】
【０００９】
請求項５に記載の発明は、請求項４に記載の撮像装置において、
前記領域変更手段は、前記ぶれ量検出手段により検出された画像ぶれ量に応じて、前記ぶれ検出領域の大きさを変更することを特徴とする。
【手続補正７】
【補正対象書類名】明細書
【補正対象項目名】００１０
【補正方法】変更
【補正の内容】
【００１０】
請求項６に記載の発明のプログラムは、
被写体を撮像領域で撮像する撮像素子を備えるコンピュータを、
前記撮像素子の撮像領域中に、主撮像画像に係る主撮像データを保持する主撮像領域と、前記主撮像領域と異なる領域であって画像ぶれに関するぶれ検出データを保持するぶれ検出領域と、を設定する領域設定手段、
前記領域設定手段で設定した前記主撮像領域から前記主撮像データを第１フレームレートで読み出す第一読出制御手段、
前記領域設定手段で設定した前記ぶれ検出領域から前記ぶれ検出データを前記第１フレームレートより速い第２フレームレートで読み出す第二読出制御手段、
前記第二読出制御手段により前記ぶれ検出領域から読み出された前記ぶれ検出データに基づき、画像ぶれ量を検出するぶれ量検出手段、
として機能させることを特徴とする。
【手続補正８】
【補正対象書類名】明細書
【補正対象項目名】００１１
【補正方法】変更
【補正の内容】
【００１１】
請求項７に記載の発明の撮像装置は、
被写体を撮像する撮像素子と、
前記撮像素子に、撮像画像に係る撮像データを取得する撮像領域と、画像ぶれに関するぶれ検出データを取得するぶれ検出領域と、を設定する領域設定手段と、
前記領域設定手段で設定した前記撮像領域から前記撮像データを読み出す第一読出制御手段と、
前記領域設定手段で設定した前記ぶれ検出領域から前記ぶれ検出データを読み出す第二読出制御手段と、
前記第二読出制御手段により前記ぶれ検出領域から読み出された前記ぶれ検出データに基づき、画像ぶれ量を検出するぶれ量検出手段と、
前記領域設定手段により設定された前記ぶれ検出領域を変更する領域変更手段と、
を備えることを特徴とする。
【手続補正９】
【補正対象書類名】明細書
【補正対象項目名】００１２
【補正方法】変更
【補正の内容】
【００１２】
請求項８に記載の発明は、請求項７記載の撮像装置において、
前記ぶれ量検出手段により検出された前記画像ぶれ量に応じた補正処理を行うぶれ補正手段と、
前記ぶれ補正手段により画像ぶれが補正された前記撮像データに基づく画像情報を前記第一読出制御手段により読み出して取得する画像情報取得手段と、
を更に備えることを特徴とする。
【手続補正１０】
【補正対象書類名】明細書
【補正対象項目名】００１３
【補正方法】変更
【補正の内容】
【００１３】
請求項９に記載の発明は、請求項７記載の撮像装置において、
前記ぶれ量検出手段により検出された前記画像ぶれ量に応じた補正処理を行うぶれ補正手段と、
前記第一読出制御手段により読み出した前記撮像データに基づく画像情報を取得して、前記ぶれ補正手段により画像ぶれを補正した画像情報を取得する画像情報取得手段と、
を更に備えることを特徴とする。
【手続補正１１】
【補正対象書類名】明細書
【補正対象項目名】００１４
【補正方法】変更
【補正の内容】
【００１４】
請求項１０に記載の発明は、請求項７に記載の撮像装置において、
前記領域変更手段は、前記ぶれ量検出手段により検出された画像ぶれ量に応じて、前記ぶれ検出領域の大きさと形状の少なくとも一方を変更することを特徴とする。
【手続補正１２】
【補正対象書類名】明細書
【補正対象項目名】００１５
【補正方法】変更
【補正の内容】
【００１５】
請求項１１に記載の発明は、請求項１０に記載の撮像装置において、
前記領域変更手段は、前記ぶれ量検出手段により検出された画像ぶれ量が所定の基準値より大きい場合に、前記ぶれ検出領域を大きくする大ぶれ検出領域拡大手段を更に備えることを特徴とする。
【手続補正１３】
【補正対象書類名】明細書
【補正対象項目名】００１６
【補正方法】変更
【補正の内容】
【００１６】
請求項１２に記載の発明は、請求項１０に記載の撮像装置において、
前記領域変更手段は、前記ぶれ量検出手段により検出された画像ぶれ量が所定の基準値より小さい場合に、前記ぶれ検出領域を大きくする小ぶれ検出領域拡大手段を更に備えることを特徴とする。
【手続補正１４】
【補正対象書類名】明細書
【補正対象項目名】００１７
【補正方法】変更
【補正の内容】
【００１７】
請求項１３に記載の発明のプログラムは、
被写体を撮像する撮像素子を備えるコンピュータを、
前記撮像素子に、撮像画像に係る撮像データを取得する撮像領域と、画像ぶれに関するぶれ検出データを取得するぶれ検出領域と、を設定する領域設定手段、
前記領域設定手段で設定した前記撮像領域から前記撮像データを読み出す第一読出制御手段、
前記領域設定手段で設定した前記ぶれ検出領域から前記ぶれ検出データを読み出す第二読出制御手段、
前記第二読出制御手段により前記ぶれ検出領域から読み出された前記ぶれ検出データに基づき、画像ぶれ量を検出するぶれ量検出手段、
前記領域設定手段により設定された前記ぶれ検出領域を変更する領域変更手段、
として機能させることを特徴とする。
【手続補正１５】
【補正対象書類名】明細書
【補正対象項目名】００１８
【補正方法】変更
【補正の内容】
【００１８】
請求項１４に記載の発明の撮像装置は、
被写体を撮像領域で撮像する撮像素子と、
前記撮像素子に、主撮像画像に係る主撮像データを保持する主撮像領域と、前記主撮像領域と異なる領域であって画像ぶれに関するぶれ検出データを保持するぶれ検出領域と、を設定する領域設定手段と、
前記領域設定手段で設定した前記主撮像領域から前記主撮像データを所定の露光時間で露光して読み出す第一露光制御手段と、
前記領域設定手段で設定した前記ぶれ検出領域から前記ぶれ検出データを前記所定の露光時間中に、１回の露光時間が前記露光時間よりも短時間で且つ１回より多く読み出す第二露光制御手段と、
前記第二露光制御手段により前記ぶれ検出領域から読み出された前記ぶれ検出データに基づき、画像ぶれ量を検出するぶれ量検出手段と、
を備えることを特徴とする。
【手続補正１６】
【補正対象書類名】明細書
【補正対象項目名】００１９
【補正方法】変更
【補正の内容】
【００１９】
請求項１５に記載の発明のプログラムは、
被写体を撮像領域で撮像する撮像素子を備えるコンピュータを、
前記撮像素子の撮像領域中に、主撮像画像に係る主撮像データを保持する主撮像領域と、前記主撮像領域と異なる領域であって画像ぶれに関するぶれ検出データを保持するぶれ検出領域と、を設定する領域設定手段、
前記領域設定手段で設定した前記主撮像領域から前記主撮像データを所定の露光時間で露光して読み出す第一露光制御手段、
前記領域設定手段で設定した前記ぶれ検出領域から前記ぶれ検出データを前記所定の露光時間中に、１回の露光時間が前記露光時間よりも短時間で且つ１回より多く読み出す第二露光制御手段、
前記第二露光制御手段により前記ぶれ検出領域から読み出された前記ぶれ検出データに基づき、画像ぶれ量を検出するぶれ量検出手段、
として機能させることを特徴とする。